(57)【特許請求の範囲】
【請求項１】
布基礎の外側に合成樹脂発体の基礎断熱板が付設された断熱基礎上に土台が設けられ、外側へ傾斜した外傾斜板と、外傾斜板の下端から垂下された前面板とを備えた水切り材が断熱基礎の外側上部を覆って取り付けられた建物の断熱基礎周り構造において、
断熱基礎上面との間に間隔を開けて胴縁受け材が土台に取り付けられた構造又は外張り断熱板がその下端と断熱基礎上面との間に間隔を開けて取り付けられた構造を有し、この胴縁受け材又は外張り断熱板の外側に水切り材が取り付けられていると共に、胴縁受け材又は外張り断熱板の下端と断熱基礎上面間に挿入部材が脱着可能に嵌め込まれており、しかも水切り材の前面板及び前面板に連なる外傾斜板の少なくとも一部が開閉又は着脱可能となっていることを特徴とする建物の断熱基礎周り構造。
【請求項２】
挿入部材が、合成樹脂発泡体の棒状又は板状をなす挿入部本体と、該挿入部本体に接合された合成樹脂シートとで構成され、該合成樹脂シートの外側の一縁が挿入部本体より外側へ延出していることを特徴とする請求項１に記載の建物の断熱基礎周り構造。
【請求項３】
挿入部材の外側縁部が、断熱基礎及び胴縁受け材よりも外側へ突出していることを特徴とする請求項１又は２に記載の建物の断熱基礎周り構造。
【発明の詳細な説明】
【技術分野】
【０００１】
本発明は、布基礎の外側に合成樹脂発泡板を付設した断熱基礎周りの構造に関する。特に蟻害の点検を容易にした断熱基礎周りの構造に関する。
【背景技術】
【０００２】
従来、住宅の床下空間の利用、気密性の向上、冷暖房負荷の軽減などのために、布基礎の外側に合成樹脂発泡体の基礎断熱板を付設して断熱基礎とすることが知られている（特許文献１参照）。通常、この断熱基礎の外側上部は水切り材で覆われ、基礎断熱板の外面はモルタルなどの外装材で覆われた構造となっている。
【０００３】
【特許文献１】特開２００７−２４７３１３号公報
【発明の開示】
【発明が解決しようとする課題】
【０００４】
ところで、断熱基礎に設けられている合成樹脂発泡体の基礎断熱板は、外装材によって日射が遮断されていると共に、柔らかいことから、蟻によって食い荒らされやすい。このため、白蟻が土中から基礎断熱板やその目地を通って這い上がり、土台を食い荒らすことが生じる。基礎断熱板や床下土壌に防蟻剤を混入するなどの防蟻処理を施すことも行われているが、防蟻剤の効力は経時的に低下することから、完全を期し難い。このため、断熱基礎の上部を定期的に点検することが好ましい。
【０００５】
しかしながら、断熱基礎の外側上部は水切り材で覆われており、水切り材を取り外さなければ目視による蟻害の点検ができない。また、水切り材の建物への取り付け部分は外壁材などで覆われていることから、これを簡単に取り外すことができない。このため、点検には外壁部分の一部解体や、水切り材の交換を伴うことになり、手間と費用がかかる問題がある。
【０００６】
本発明は、上記従来の問題点に鑑みてなされたもので、断熱基礎における蟻害の点検を容易かつ低コストで行えるようにすることを目的とする。
【課題を解決するための手段】
【０００７】
上記目的のために、本発明は、布基礎の外側に合成樹脂発体の基礎断熱板が付設された断熱基礎上に土台が設けられ、外側へ傾斜した外傾斜板と、外傾斜板の下端から垂下された前面板とを備えた水切り材が断熱基礎の外側上部を覆って取り付けられた建物の断熱基礎周り構造において、
断熱基礎上面との間に間隔を開けて胴縁受け材が土台に取り付けられた構造又は外張り断熱板がその下端と断熱基礎上面との間に間隔を開けて取り付けられた構造を有し、この胴縁受け材又は外張り断熱板の外側に水切り材が取り付けられていると共に、胴縁受け材又は外張り断熱板の下端と断熱基礎上面間に挿入部材が脱着可能に嵌め込まれており、しかも水切り材の前面板及び前面板に連なる外傾斜板の少なくとも一部が開閉又は着脱可能となっていることを特徴とする建物の断熱基礎周り構造を提供するものである。
【０００８】
また、本発明は、挿入部材が、合成樹脂発泡体の棒状又は板状をなす挿入部本体と、該挿入部本体に接合された合成樹脂シートとで構成され、該合成樹脂シートの外側の一縁が挿入部本体より外側へ延出していること、
挿入部材の外側縁部が、断熱基礎及び胴縁受け材よりも外側へ突出していること、
をその好ましい態様として含むものである。
【０００９】
なお、本発明において外側とは、建物の外部側をいう。
【発明の効果】
【００１０】
本発明によれば、水切り材の前面板及び前面板に連なる外傾斜板の少なくとも一部が開閉又は着脱可能となっていることから、これを開放又は離脱することで断熱基礎の上部を露出させることができ、簡単に目視による蟻害の点検を行うことができる。また、点検後は、上記水切り材の前面板及び前面板に連なる外傾斜板の少なくとも一部を閉鎖又は装着することで元に戻すことができる。このため、外壁部の解体や水切り材の交換を行うことなく蟻害の点検ができ、手間及び費用を大幅に軽減することができる。
【発明を実施するための最良の形態】
【００１１】
以下、本発明を図面に基づいて説明する。なお、以下に説明する図１〜図１１において、同じ符号は同様の部材又は部位を示す。
【００１２】
まず、本発明に係る断熱基礎周り構造の参考例を図１〜図３に基づいて説明する。
【００１３】
図１は本発明に係る断熱基礎周り構造の参考例を示す断面図、図２は本発明に係る断熱基礎周り構造の参考例における水切り材の斜視図、図は本発明に係る断熱基礎周り構造の参考例における水切り材の支持板が連なる前面板と、前面板に連なる外傾斜板の前部傾斜板とを開放状態とした断面図である。
【００１４】
図１において、１は断熱基礎で、断熱基礎１を構成する布基礎２の外側には合成樹脂発泡体の基礎断熱板３が付設されている。
【００１５】
基礎断熱板３は、布基礎２を構築する際のコンクリート打設時に、型枠内にセットしておくことで布基礎１に付設することができる。基礎断熱板３を構成する合成樹脂発泡体としては、例えばポリスチレン系発泡体、ポリエチレン系発泡体、ポリプロピレン系発泡体、ポリウレタン系発泡体、フェーノール樹脂系発泡体などを用いることができるが、吸水性が低く、断熱性に優れることから、ポリスチレンの発泡体が好ましい。また、基礎断熱板３は、ビーズ発泡成形板でも押出発泡成形板でもよいが、耐圧性に優れることから、押出発泡成形板が好ましい。
【００１６】
更に、基礎断熱板３は防蟻措置された断熱材とすることで、断熱材中をシロアリが這い上がる可能性を低減し、点検の間隔を長くすることができ好ましい。ここで、防蟻措置された断熱材としては、合成樹脂発泡体製の断熱材の表面や天端を金属メッシュやモルタルで覆ったもの、天端にコの字形の金属部材を被せたもの、合成樹脂にビフェントリン、シフェノトリン、イミダクロプリド、シラフルオフェンなどの防蟻薬剤と発泡剤他を添加し発泡した合成樹脂発泡体で構成したものなどを使用できる。
【００１７】
上記基礎断熱板３の外側はモルタルなどの外装材４で覆われている。また、布基礎２上面の均しモルタル５を介して、断熱基礎１上には土台６が設置されており、この土台６上に柱７が立てられている。柱７間にはグラスウールなどの充填断熱材８が充填されており、その外側には、防水シート９を介して胴縁１０が取り付けられ、更にこの胴縁１０に外壁材１１が取り付けられている。
【００１８】
土台６には、図１及び図２に示される水切り材１２が断熱基礎１の外側上部を覆って取り付けられている。水切り材１２は、垂直な取り付け板１３と、取り付け板１３の下端に連なり、外側に傾斜した外傾斜板１４と、外傾斜板１４の下端から垂下した前面板１５と、前面板１５の下部から内側（建物の内部側）へ突出した支持板１６とを備えている。
【００１９】
上記水切り材１２は、前記防水シート９の内側に位置する取り付け板１３を釘打ちなどで土台６に固定することで、断熱基礎１の外側上部を覆って取り付けられている。また、外傾斜板１４は、取り付け板１３に連なる後部傾斜板１４ａと、前面板１５に連なる前部傾斜板１４ｂとに分かれており、両者はヒンジ部１４ｃで接続されている。従って、支持板１６が連なる前面板１５と、前面板１５に連なる外傾斜板１４の前部傾斜板１４ａとは、ヒンジ部１４ｃを介して上下に傾動可能となっている。
【００２０】
この水切り材１２は、図３に示されるように、支持板１６が連なる前面板１５と、前面板１５に連なる外傾斜板１４の前部傾斜板１４ａとを、ヒンジ部１４ｃを介して上方に傾動させることで開放することができる。図３に示されるように支持板１６が連なる前面板１５と、前面板１５に連なる外傾斜板１４の前部傾斜板１４ａとを開放すると、断熱基礎１の上部、特に基礎断熱板３の上面を容易に目視により検査することができる。また、検査後は、支持板１６が連なる前面板１５と、前面板１５に連なる外傾斜板１４の前部傾斜板１４ａとを元に戻して閉鎖すれば、他に手を加えることなく原状に復帰させることができる。支持板１６が連なる前面板１５と、前面板１５に連なる外傾斜板１４の前部傾斜板１４ａとが、風邪などの影響で揺らぐのを防止するためには、これらの重量を重くしたり、これらを外壁材１１や外装材４に着脱可能に固定しておくことができる。
【００２１】
次に、本発明に係る断熱基礎周り構造の第１の例を図４〜図７に基づいて説明する。
【００２２】
図４は本発明に係る断熱基礎周り構造の第１の例を示す断面図、図５は本発明に係る断熱基礎周り構造の第１の例における水切り材の斜視図、図６は本発明に係る断熱基礎周り構造の第１の例における挿入部材の斜視図、図７は本発明に係る断熱基礎周り構造の第１の例における水切り材の前面板と、前面板に連なる外傾斜板の前部傾斜板とを離脱し、挿入部材を取り外した状態の断面図である。
【００２３】
本例においては、土台６に、断熱基礎１との間に間隔を開けて胴縁受け材１７が取り付けられており、胴縁受け材１７上には合成樹脂発泡体製の外張り断熱板１８が取り付けられている。断熱基礎１と胴縁受け材１７との間の隙間は、点検時に、断熱基礎１、特に基礎断熱板３の上面を目視できるようにするためのもので、断熱性の低下を防止するために、着脱可能に挿入部材１９が嵌め込まれている。また、防水シート９を介して胴縁受け材１７に胴縁１０が取り付けられ、更にこの胴縁１０に外壁材１１が取り付けられている。
【００２４】
土台６には、図４及び図５に示される水切り材１２が断熱基礎１の外側上部を覆って取り付けられている。水切り材１２は、垂直な取り付け板１３と、取り付け板１３の下端に連なり、外側に傾斜した外傾斜板１４と、外傾斜板１４の下端から垂下した前面板１５とを備えている。
【００２５】
上記水切り材１２は、前記防水シート９の内側に位置する取り付け板１３を釘打ちなどで胴縁受け材１７に固定することで、断熱基礎１の外側上部を覆って取り付けられている。外傾斜板１４は、取り付け板１３に連なる後部傾斜板１４ａと、前面板１５に連なる前部傾斜板１４ｂとに分かれている。後部傾斜板１４ａの両側端部は下方に折り返されて、後部傾斜板１４ａとの間に若干の隙間を開けて後部傾斜板１４ａの下方に位置する折り返し片１４ｄを形成している。前部傾斜板１４ｂの後部傾斜板１４ａ側の両側端部は、上記折り返し片１４ｄと後部傾斜板１４ａ間の隙間に抜き差し可能に差し込まれて保持されている。
【００２６】
本例の挿入部材１９は、図６にも示されるように、挿入部本体１９ａと、挿入部本体１９ａに接合された合成樹脂シート１９ｂとで構成されている。挿入部本体１９ａは、断熱基礎１と胴縁受け材１７との間の隙間に嵌め込みやすい棒状又は板状をなしている。挿入部本体１９ａは、良好な断熱性が得られるよう、合成樹脂発泡体で構成されていることが好ましい。この挿入部本体１９ａを構成する合成樹脂発泡体としては、前記基礎断熱板３を構成する合成樹脂発泡体と同様のものを用いることができる。特に、防蟻措置した合成樹脂発泡体からなる挿入部材１９を、防蟻薬剤の効能が低減する前に、一定期間にて交換することにより、防蟻効能を長期間わたり維持できる。
【００２７】
挿入部材１９は、上記挿入部本体１９ａのみとすることもできるが、図示されるように、合成樹脂シート１９ｂが接合されたものとすることが好ましい。合成樹脂シート１９ｂを挿入部本体１９ａに接合しておくことにより、挿入部本体１９ａを補強することができる。特に挿入部本体１９ａを合成樹脂発泡体で構成した場合に、挿入部本体１９ａを長尺としても折れや割れを生じにくくすることができる。また、図示されるように、合成樹脂シート１９ｂの外側の一縁を挿入部本体１９ａより延出させておくと、この延出部を引っ張ることで挿入部本体１９ａを容易に抜き出すことができるようになる。合成樹脂シート１９ａ，１９ｂの接合により、抜き出し時の応力を挿入部本体１９ａ全面に分散させて破断しにくくすることができ、かつ合成樹脂シート１９ａ，１９ｂの表面が滑らかであるため摩擦を抑えることができ、容易に抜き出すことができるようになる。
【００２８】
本例の水切り材１２は、図５及び図７に示されるように、前部傾斜板１４ｂの後部傾斜板１４ａ側の両側端部を折り返し片１４ｄと後部傾斜板１４ａ間の隙間から抜き取ることで、前面板１５と、前面板１５に連なる外傾斜板１４の前部傾斜板１４ａとを、容易に離脱させることができる。図７に示されるように、前面板１５と、前面板１５に連なる外傾斜板１４の前部傾斜板１４ａとを離脱させ、挿入部材１９を抜き取れば、断熱基礎１の上部、特に基礎断熱板３の上面を容易に目視により検査することができる。また、検査後は、前部傾斜板１４ｂの後部傾斜板１４ａ側の両側端部を折り返し片１４ｄと後部傾斜板１４ａ間の隙間に差し込んで保持させれば、前面板１５と、前面板１５に連なる外傾斜板１４の前部傾斜板１４ａとを容易に装着することができ、他に手を加えることなく原状に復帰させることができる。
【００２９】
挿入部材１９は、図６及び図７で説明した形態の他、図８に示される形態とすることもできる。図８に示される挿入部材１９は、挿入部本体１９ａの上下に合成樹脂シート１９ｂが接合されたものとなっている。このようにすると、合成樹脂シート１９ｂによる挿入部本体１９ａの補強効果を一層高めることができる。また、図８に示されるように、挿入部本体１９ａの外側面と内側面とから、上下方向に交互に、横方向に伸びる切り込み部１９ｃを形成しておくと、挿入部本体１９ａの上下方向の柔軟性を高めることができ、断熱基礎１と胴縁受け材１７間への着脱が容易となる。
【００３０】
本発明に係る断熱基礎周り構造の第２の例を図９に基づいて説明する。
【００３１】
図９は本発明に係る断熱基礎周り構造の第２の例を示す断面図である。
【００３２】
本例における水切り材１２は、前記参考例における水切り材１２と同様で、断熱基礎１に胴縁受け材１７が取り付けられており、胴縁受け材１７上には合成樹脂発泡体製の外張り断熱板１８が取り付けられている点は前記第１の例と同様である。しかし、本例における胴縁受け材１７は、その下面の位置が土台６の下面とほぼ揃えられており、しかも基礎断熱板３の上面位置が布基礎２の上面よりも下げられている。そして、これによって胴縁受け材１７と基礎断熱板３の間に間隔が開けられており、この隙間に挿入部材１９が嵌め込まれている。また、この挿入部材１９は、第１の例で説明した挿入部本体１９ａ部分のみで構成されており、しかも外側縁部が断熱基礎１及び胴縁受け材１７よりも外側へ突出している。外傾斜板１４の下面と当接する挿入部材１９の先端上部には、外傾斜板１４の傾斜に合わせて勾配がつけられている。
【００３３】
本例のようにすると、水切り材１２の取り付け位置が通常の取り付け位置と同じであるので、壁部の納まりを変更することなく蟻害の点検を容易に行うことができるようにすることができる。点検は、図３で説明したように、支持板１６が連なる前面板１５と、前面板１５に連なる外傾斜板１４の前部傾斜板１４ａとを、ヒンジ部１４ｃを介して上方に傾動させることで開放し、挿入部材１９を抜き取ることで行うことができる。また、挿入部材１９の外側縁部が断熱基礎１及び胴縁受け材１７よりも外側へ突出しているので、この突出部分を掴んで容易に引き出すことができる。
【００３４】
本例の挿入部材１９は、挿入部本体１９ａのみで構成されているが、図１０に示されるように、合成樹脂シート１９ｂを接合したものとしたり、切り込み部１９ｃを形成したものとすることもできる。また、先端上部は外傾斜板１４の傾斜に合わせて勾配を形成したものとすることもできる。更に、図１１に示されるように、挿入部本体１９ａの内側面の下部コーナー部を切り欠き、切欠コーナー部１９ｄとしておくと、基礎断熱板３の補修などのために、布基礎２と基礎断熱板３の接合面に上面側から接着剤を注入した時に、注入後直ちに挿入部材１９を差し込んでも、注入部付近（布基礎２と基礎断熱板３の接合面上端付近）にはみ出した接着剤で接着されてしまうことを防止することができる。
【００３５】
更に、本発明に係る断熱基礎周り構造の第３の例を図１２に基づいて説明する。
【００３６】
図１２は本発明に係る断熱基礎周り構造の第３の例を示す断面図である。
【００３７】
本例は、基本的には前記第１の例と同様であるが、外壁部に胴縁受け材１７（図４参照）が設けられておらず、挿入部材１９が外張り断熱板１８の下端と断熱基礎１の上面間に挿入されている点が前記第１の例と相違している。外張り断熱の場合、一般的には胴縁受け材１７が設けられるが、胴縁受け材１７が設けられていない場合でも本発明を容易に適用することができる。
【図面の簡単な説明】
【００３８】
【図１】本発明に係る断熱基礎周り構造の参考例を示す断面図である。
【図２】本発明に係る断熱基礎周り構造の参考例における水切り材の斜視図である。
【図３】本発明に係る断熱基礎周り構造の参考例における水切り材の支持板が連なる前面板と、前面板に連なる外傾斜板の前部傾斜板とを開放状態とした断面図である。
【図４】本発明に係る断熱基礎周り構造の第１の例を示す断面図である。
【図５】本発明に係る断熱基礎周り構造の第１の例における水切り材の斜視図である。
【図６】本発明に係る断熱基礎周り構造の第１の例における挿入部材の斜視図である。
【図７】本発明に係る断熱基礎周り構造の第１の例における水切り材の前面板と、前面板に連なる外傾斜板の前部傾斜板を離脱し、挿入部材を取り外した状態の断面図である。
【図８】挿入部材の他の例を示す図である。
【図９】本発明に係る断熱基礎周り構造の第２の例を示す断面図である。
【図１０】挿入部材の他の例を示す図である。
【図１１】挿入部材の他の例を示す図である。
【図１２】本発明に係る断熱基礎周り構造の第３の例を示す断面図である。
【符号の説明】
【００３９】
１  断熱基礎
２  布基礎
３  基礎断熱板
４  外装材
５  均しモルタル
６  土台
７  柱
８  充填断熱材
９  防水シート
１０  胴縁
１１  外壁材
１２  水切り材
１３  取り付け板
１４  外傾斜板
１４ａ  後部傾斜板
１４ｂ  前部傾斜板
１４ｃ  ヒンジ部
１４ｄ  折り返し片
１５  前面板
１６  支持板
１７  胴縁受け材
１８  外張り断熱板
１９  挿入部材
１９ａ  挿入部本体
１９ｂ  合成樹脂シート
１９ｃ  切り込み部
１９ｄ  切欠コーナー部
【図１】
0005192279.tif 000002
【図２】
0005192279.tif 000003
【図３】
0005192279.tif 000004
【図４】
0005192279.tif 000005
【図５】
0005192279.tif 000006
【図６】
0005192279.tif 000007
【図７】
0005192279.tif 000008
【図８】
0005192279.tif 000009
【図９】
0005192279.tif 000010
【図１０】
0005192279.tif 000011
【図１１】
0005192279.tif 000012
【図１２】
0005192279.tif 000013